(57)【要約】【課題】  市販されている様々なサイズの箱入りペーパー類の紙箱に対応できる汎用性の高さと、水平面は当然のことながら垂直面や天地逆さま面も含め様々な方向の設置面に対応可能な高い設置性を兼ね備え、使用方法が簡単で簡素な構成の、繰り返し使用できる紙箱ホルダーを提供する。【解決手段】  紙箱の互いに直交する底面と短側面、長側面の三面のうちいずれか二面に接するようにL字アングル形状をなした、または三面に接するように三方角金形状をなした、紙箱の適正な位置に装着するためのガイド部を備え、該ガイド部が紙箱側面に接する側部内面に紙箱を支持するための複数の支持針を垂直に突設し、設置面に面する底部外面に磁石や吸盤などの設置手段を具備した、二つ一組からなる紙箱ホルダー。【選択図】図１
2015224034.tif 000002
【特許請求の範囲】
【請求項１】
ティッシュペーパーやキッチンペーパーなどに代表される箱入りペーパー類の、直方体の紙箱の互いに直交する底面と短側面、長側面の三面のうちいずれか二面に接するように、L字アングル形状をなすガイド部を持ち、該ガイド部が紙箱側面に接する側部内面に複数の支持針を垂直に突設し、設置面に面する底部外面に設置面への設置手段を具備してなる二つ一組の紙箱ホルダー。
【請求項２】
直方体の紙箱の互いに直交する底面と短側面、長側面の三面に接するように、三方角金形状をなすガイド部からなる請求項１の紙箱ホルダー。
【発明の詳細な説明】
【技術分野】
【０００１】
本発明は、ティッシュペーパーやキッチンペーパーなどに代表される箱入りペーパー類の直方体の紙箱を、冷蔵庫やスチール家具などの強磁性体からなる表面や、ガラスやタイルなどの平滑な表面に、磁石や吸盤などを用いて容易に設置するための紙箱ホルダーに関する。
【背景技術】
【０００２】
従来から箱入りペーパー類の紙箱を、磁石を用いて冷蔵庫やスチール家具などの強磁性体表面に磁着させたり、吸盤を用いてガラスやタイルなどの平滑な表面に吸着させたりして設置する構成のホルダーが以下に示すように数多く出願されている。
【０００３】
特許文献１の従来例は、左右一対の背部、側部及び底部の三面からなる支持部で紙箱を支持し、剥離性を備えた粘着部材で紙箱を固定するホルダーである。
【０００４】
また特許文献２の従来例は、紙箱を挟持する構成のホルダーである。
【０００５】
また特許文献３の従来例は、紙箱側面の底面に近い部分に鋭利な刃物状の差し込み片を突き刺す方法で装着するホルダーである。
【０００６】
また特許文献４の従来例は、紙箱の側面中央付近に鋭利な突出片を突き刺す方法で装着する食品包装用ラップフィルムに特化したホルダーである。
【先行技術文献】
【特許文献】
【０００７】
【特許文献１】特開平７−１０００８０号公報（図１）
【特許文献２】実開平６−６９１３９号公報（図１）
【特許文献３】特開２００４−９７３５４号公報（図７）
【特許文献４】特開平８−１１２２１０号公報（図３）
【発明の概要】
【発明が解決しようとする課題】
【０００８】
特許文献１の従来例は様々なサイズの紙箱に対応した汎用性の高い構成であるが、紙箱の固定に粘着部材を使用しているため繰り返しの使用には問題がある。また、主に支持部で紙箱を支持する構成であるため、小さな紙箱から大きな紙箱まで汎用性を持たせるためには、大きな紙箱に合わせてホルダー自体を大きくしなければならない。なおその構成上天地逆さま面への設置には向いていない。
【０００９】
特許文献２の従来例も様々なサイズの紙箱に対応した汎用性の高い構成であるが、紙箱に装着せず挟持する方法を採っているため、内容物が減少した際や、湿度による紙箱の変形によって支持力が減少する問題を残しており、特に天地逆さま面への設置には向いていない。
【００１０】
特許文献３の従来例も汎用性の高い構成であるが、鋭利な刃物状の差し込み片を紙箱側面の底面に近い部分に突き刺す方法で装着するため、底面の方にある内容物のペーパーを傷つけたり、差し込み片でペーパーを挟んでしまって引き出しにくくなったりする恐れがある。
【００１１】
特許文献４の従来例は食品包装用ラップフィルムのための構成であり、ティッシュペーパーなどのペーパー類に使用した場合に、やはり突出片が内容物のペーパーを傷つける恐れがある。
【００１２】
本発明は上述の点に鑑みて為されたもので、その目的は市販されている様々なサイズの箱入りペーパー類の紙箱に対応できる汎用性の高さと、水平面は当然のことながら垂直面や天地逆さま面も含め様々な方向の設置面に設置可能な高い設置性を兼ね備え、使用方法が簡単で簡素な構成の、繰り返し使用できる紙箱ホルダーを提供することにある。
【課題を解決するための手段】
【００１３】
紙箱の互いに直交する底面と短側面、長側面の三面のうちいずれか二面に接するようにL字アングル形状をなした、または三面に接するように三方角金形状をなした、紙箱に適正に装着するためのガイド部を備え、該ガイド部の紙箱側面に接する側部内面に紙箱を支持するための複数の支持針を垂直に突設し、設置面に面する底部外面に磁石や吸盤などの設置手段を具備してなる紙箱ホルダー。以上の構成からなる紙箱ホルダーを二つ一組で紙箱に装着し、該設置手段で設置面に設置する。
【発明の効果】
【００１４】
二つ一組で紙箱を支持する構成ゆえ、市販されている様々なサイズの箱入りペーパー類の殆ど全てに対応できる汎用性の高さを実現できる。また二つに分かれているために、冷蔵庫の扉によく見られる緩やかな二次曲面からなる設置面であっても安定した強度で紙箱を支持することができる。
【００１５】
設置方向によってはガイド部も紙箱を支持する機能を果たすが、主には支持針が紙箱を支持する構成のため、垂直面や天地逆さま面も含め様々な方向の設置面に設置することが可能である。
【００１６】
紙箱の側面にガイド部の支持針を突き刺して設置面に設置するだけで、安定した取り付け強度で紙箱を支持することができ、繰り返し使用できる。
【００１７】
一般的に紙箱を垂直面に設置した場合は、内容物のペーパーの枚数が少なくなった際に重力によってペーパーが下方に偏ってしまうため、引き出しにくくなったり纏まって大量に引き出してしまったりする現象がほぼ確実に発生するが、図８や図１１に示すように第３の実施例や第４の実施例によって、垂直な設置面に紙箱を水平方向に設置する方法を採ればこれらの現象を確実に抑制できる。
【図面の簡単な説明】
【００１８】
【図１】第１の実施例を内面側と外面側から見た構成斜視図。
【図２】ガイド部の異形例を示す斜視図
【図３】第１の実施例の装着方法を示す斜視図
【図４】第１の実施例を垂直な設置面に設置した使用状態を示す斜視図。
【図５】第２の実施例における片方の構成斜視図。
【図６】第３の実施例を内面側と外面側から見た構成斜視図。
【図７】第３の実施例で垂直な設置面に紙箱を垂直方向に設置した使用状態を示す斜視図。
【図８】第３の実施例で垂直な設置面に紙箱を水平方向に設置した使用状態を示す斜視図。
【図９】第４の実施例を内面側と外面側から見た構成斜視図。
【図１０】第４の実施例で垂直な設置面に紙箱を垂直方向に設置した使用状態を示す斜視図。
【図１１】第４の実施例で垂直な設置面に紙箱を水平方向に設置した使用状態を示す斜視図。
【図１２】第３の実施例で緩やかな二次曲面からなる設置面に設置した使用状態を示す側面図。
【発明を実施するための形態】
【００１９】
以下、本発明の実施の形態を説明する。
図１は本発明の第１の実施例を表したもので、紙箱ホルダー１を紙箱の適正な位置に装着するためのガイド部１１と、紙箱を支持するための複数の支持針１２及び、設置面に設置するための磁石１３からなる。ガイド部１１は紙箱の側面と底面に接するようにするために側部１１１と底部１１２からなるL字アングル形状をなす。側部１１１における側部内面１１１ｉの両端付近には支持針１２を垂直に突設し、底部１１２における底部外面１１２ｏの両端付近には磁石１３を固着する。主には支持針１２が紙箱を支持し、設置方向によってはガイド部１１も紙箱を支持する機能を果たす。
【００２０】
ガイド部１１は図２に示すように、側部１１１の支持針１２の周辺部分だけを残した形状でも良い。これによって設置状態における目に触れる部分を最小化することができるため、紙箱ホルダー自体の存在感をあまり感じさせず体裁よく設置することができる。また、ガイド部１１’の材質を樹脂などの可とう性のある素材とすれば、設置面が冷蔵庫の扉によく見られる緩やかな二次曲面であっても、設置面に沿って曲げたわむことからより確実に設置することができる。
【００２１】
また磁石１３は、図示していないがキャップ磁石や板状のボンド磁石を使用しても良く、さらに磁石に代えて吸盤を使用すればガラス面などの設置面に設置することができる。
【００２２】
本発明を使用する際は図３に示すように紙箱ホルダー１を二つ一組で使用する。紙箱ホルダー１の一方を紙箱９の底面９１にガイド部１１の底部内面１１２ｉを添わせるようにして、支持針１２を紙箱９の短側面９２に突き刺して装着する。同様にもう一方の紙箱ホルダー１を対向する紙箱の反対側にも装着し、図４に示すように底部外面１１２ｏに具備した磁石１３で冷蔵庫や壁面などの設置面７に磁着させて設置する。
【００２３】
図５は第２の実施例である紙箱ホルダー２の片方を表したものである。基本的な構成は第１の実施例と同様であるが、二片に分かれたL字アングル形状のガイド部２１を板状のボンド磁石２３に固着している部分が異なる。これによって、やはり設置状態における目に触れる部分を最小化し、ボンド磁石２３の可とう性によって緩やかな二次曲面にも設置することができる。
【００２４】
図６は第３の実施例の紙箱ホルダー３を表したものである。図７に示す、紙箱９の互いに直交する底面９１と短側面９２、長側面９３の三面に接するように、側部３１１と底部３１２、背部３１３の三面からなる三方角金形状をなしたガイド部３１を持つ。第１の実施例と同様に、側部３１１の側部内面３１１ｉに複数の保持針３２と、底部３１２の底部外面３１２ｏに磁石３３を具備し、左右対称形の二つ一組の構成でより多様な設置を可能としている。
【００２５】
図７に示すように、紙箱ホルダー３を使用して紙箱９の底面９１が垂直な設置面７に面する方向で設置すれば、ペーパーを設置面７に対して垂直方向に、すなわち水平方向に取り出すことができる。また図８に示すように紙箱９の長側面９３が垂直な設置面７に面する方向で設置すれば、ペーパーを設置面７に対して平行方向に、すなわち垂直上方向に取り出すことができる。また紙箱の上下を入れ替えればペーパーを垂直下方向に取り出すこともできる。
【００２６】
図９は第４の実施例の紙箱ホルダー４を表したものである。第１の実施例の紙箱ホルダー１とは大きさや形状が異なるL字アングル形状のガイド部４１と、第３の実施例の紙箱ホルダー３と同様の、三つの支持針４２と磁石４３からなり、図１０、図１１に示すように第３の実施例と同等の設置性を備えている。
【００２７】
なお、いずれの実施例においても二つ一組で使用することから、様々な紙箱のサイズに合わせて設置することが可能である。また図１２に示す紙箱ホルダー３の使用例のように、設置面が冷蔵庫の扉によく見られる緩やかな二次曲面からなる設置面８であっても、紙箱ホルダー３が設置可能な程度の曲面であって、曲面に設置することで傾いた紙箱ホルダー３の支持針３２が紙箱９の側面９２から抜けない程度の傾きで、かつ紙箱９の底面９１の中央付近が緩やかな二次曲面からなる設置面８に接触するまでの範囲の緩やかな二次曲面であれば設置することが可能である。
【符号の説明】
【００２８】
１  紙箱ホルダー
１１  ガイド部
１１’  ガイド部
１１１  側部
１１１ｉ  側部内面
１１２  底部
１１２ｉ  底部内面
１１２ｏ  底部外面
１２  支持針
１３  磁石
２  紙箱ホルダー
２１  ガイド部
２３  板状のボンド磁石
３  紙箱ホルダー
３１  ガイド部
３１１  側部
３１１ｉ  側部内面
３１２  底部
３１２ｏ  底部外面
３１３  背部
３２  支持針
３３  磁石
４  紙箱ホルダー
４１  ガイド部
４２  支持針
４３  磁石
７  設置面
８  緩やかな二次曲面からなる設置面
９  紙箱
９１  底面
９２  短側面
９３  長側面
【図１】
2015224034.tif 000003
【図２】
2015224034.tif 000004
【図３】
2015224034.tif 000005
【図４】
2015224034.tif 000006
【図５】
2015224034.tif 000007
【図６】
2015224034.tif 000008
【図７】
2015224034.tif 000009
【図８】
2015224034.tif 000010
【図９】
2015224034.tif 000011
【図１０】
2015224034.tif 000012
【図１１】
2015224034.tif 000013
【図１２】
2015224034.tif 000014